(57)【要約】【課題】野菜、ハーブ又は食用花等の植物を室内において栽培することができ、コンパクトで嵩張らず、包装性や取り扱い性に優れていると共に、使用時において、周りにいる人の注意を引きやすく、栽培される植物を面白く観賞することができる植物栽培キットを提供する。【解決手段】植物栽培キットは、容器の上部開口縁に自立する外装体１と、該外装体１に取り付けられ、開封できるようにして縁部が封止されている土保持性及び通液性を有するバッグ２と、該バッグ２に収容されており土と肥料を混合した栽培用土３とを備える植物栽培器Ａ１と、種子を収容した種子入れを備えている。【選択図】図１
2015047113.tif 000002
【特許請求の範囲】
【請求項１】
容器の上部開口縁に自立する外装体と、
該外装体に取り付けられ、開封できるようにして縁部が封止されている土保持性及び通液性を有するバッグと、
該バッグに収容されており土と肥料を混合した栽培用土とを備える
植物栽培器。
【請求項２】
前記外装体が、正面側シートと背面側シートでループを形成して折り畳まれた構成を有し、前記バッグは前記正面側シートと前記背面側シートの間に配置されており、前記外装体が、前記正面側シートと前記背面側シートの間隔を拡張し、拡張した状態を維持する拡張手段を有する
請求項１の植物栽培器。
【請求項３】
前記外装体が、前記上部開口縁と係合して前記バッグが容器の上部開口部の内側に位置するようにする位置決め部を有する
請求項１又は２の植物栽培器。
【請求項４】
前記バッグの底が、前記外装体の前記位置決め部の下端より上に位置している
請求項１、２又は３の植物栽培器。
【請求項５】
前記外装体が、外部から前記外装体内側の前記バッグが見えるようにする窓口を有している
請求項１、２、３又は４の植物栽培器。
【請求項６】
前記バッグの色が濃色である
請求項１、２、３、４又は５の植物栽培器。
【請求項７】
容器の上部開口縁に自立する外装体と、該外装体に取り付けられ、開封できるようにして縁部が封止されている土保持性及び通液性を有するバッグと、該バッグに収容されており土と肥料を混合した栽培用土とを備える植物栽培器と、
種子を収容した種子入れとを備える
植物栽培キット。
【請求項８】
容器の上部開口縁に自立する外装体と、該外装体に取り付けられ、開封できるようにして縁部が封止されている土保持性及び通液性を有するバッグと、該バッグに収容されており土と肥料を混合した栽培用土とを備える植物栽培器と、
種子を収容した種子入れと、
前記植物栽培器及び前記種子入れを収容し包装する包装体とを備える
植物栽培キット。
【請求項９】
容器の上部開口縁に自立する外装体と、該外装体に取り付けられ、開封できるようにして縁部が封止されている土保持性及び通液性を有するバッグと、該バッグに収容されている土とを備える植物栽培器と、
肥料を収容した肥料入れと、
種子を収容した種子入れと、
前記植物栽培器、前記肥料入れ及び前記種子入れを収容し包装する包装体とを備える
植物栽培キット。
【請求項１０】
外装体と該外装体に取り付けられた土保持性及び通液性を有するバッグ及び該バッグに収容されている栽培用土からなる植物栽培器を容器の上部開口縁に載せてセットする工程と、
前記バッグの中の前記栽培用土に種子を蒔く工程と、
前記栽培用土に水遣りをする工程とを備える
植物の栽培方法。
【発明の詳細な説明】
【技術分野】
【０００１】
本発明は、植物栽培器、それを有する植物栽培キット及び植物の栽培方法に関するものである。詳しくは、野菜、ハーブ又は食用花等の植物を室内において栽培することができ、コンパクトで嵩張らず、包装性や取り扱い性に優れていると共に、使用時において、周りにいる人の注意を引きやすく、栽培される植物を面白く観賞することができるものに関する。
【背景技術】
【０００２】
室内に観葉植物等の植物を置いて自然な緑のある空間をつくり、生活に取り入れることは従来から行われている。また、近年では、鉢植えの観葉植物のように比較的大きなものではなく、例えば机やテーブルの上に、生活する人が癒やしや和みを感じることができるような小さな植物を観賞用として飾ることもよく行われている。このような、小さな植物を栽培しながら観賞するためのものとしては、例えば特許文献１に記載の植物栽培キットがある。
【０００３】
この植物栽培キットは、組み合わせると一体容器として使用可能な植物栽培容器に、栽培用土、不織布、種子及び栽培方法を表した書類を詰め合わせたものであり、栽培を始めるにあたり、他に材料や道具を揃える必要がなく、室内で植物栽培を行う時にも、容器から水が染み出すことがなく床や机などを汚すことがない、というものである。
【先行技術文献】
【特許文献】
【０００４】
【特許文献１】特開２０１２−１７９０３８号公報
【発明の概要】
【発明が解決しようとする課題】
【０００５】
しかしながら、従来の植物栽培キットには、次のような課題があった。
すなわち、植物栽培キットには植物栽培容器がセットになっており、その容器は包装容器としても使用され、その際はほぼ球形となるので、包装形態としては比較的大きく嵩張る。このため、包装後の商品としての搬送時又は販売時の陳列等においても場所を取り、スペース効率の点から様々な制約を受けやすく、取り扱い性についてもよいとはいえなかった。
【０００６】
また、上記従来の植物栽培キットは、使用時において、植物栽培容器の形が多少特徴的ではあるが、外観的には植木鉢と大差ない形態である。このため、この容器自体が周りにいる人の注意を引くかといえば、それ程までに特徴的な外観を有しているわけではなく、容器で栽培されている植物が観賞用であっても、容器と共に見過ごされてしまう可能性があった。
【０００７】
本発明は、以上の点に鑑みて創案されたものであり、野菜、ハーブ又は食用花等の植物を室内において栽培することができ、コンパクトで嵩張らず、包装性や取り扱い性に優れていると共に、使用時において、周りにいる人の注意を引きやすく、栽培される植物を面白く観賞することができる植物栽培器、それを有する植物栽培キット及び植物の栽培方法を提供することを目的とする。
【課題を解決するための手段】
【０００８】
上記の目的を達成するために講じた本発明の手段は次のとおりである。
（１）本発明は、容器の上部開口縁に自立する外装体と、該外装体に取り付けられ、開封できるようにして縁部が封止されている土保持性及び通液性を有するバッグと、該バッグに収容されており土と肥料を混合した栽培用土とを備える植物栽培器である。
【０００９】
（２）本発明は、前記外装体が、正面側シートと背面側シートでループを形成して折り畳まれた構成を有し、前記バッグは前記正面側シートと前記背面側シートの間に配置されており、前記外装体が、前記正面側シートと前記背面側シートの間隔を拡張し、拡張した状態を維持する拡張手段を有する構成とすることができる。
【００１０】
この場合、外装体が折り畳まれていることにより、バッグを含む全体をコンパクトにすることが可能になり、包装性及び取り扱い性が向上する。
また、容器の上部開口縁に、拡張手段によって正面側シートと背面側シートを拡張した状態で外装体を載置することにより、容器の上部開口縁に当たって植物栽培器を支持する部分の間隔が広くなるので、植物栽培器が容器の上部開口縁に自立した状態でより安定する。
【００１１】
（３）本発明は、前記外装体が、前記上部開口縁と係合して前記バッグが容器の上部開口部の内側に位置するようにする位置決め部を有する構成とすることができる。
【００１２】
この場合、位置決め部を容器の上部開口縁と係合することによって容器の上部開口縁における植物栽培器の位置が決まり、通常の使用では植物栽培器の位置がずれることがないので、観賞用として体裁がよい。
【００１３】
（４）本発明は、前記バッグの底が、前記外装体の前記位置決め部の下端より上に位置している構成とすることができる。
【００１４】
この場合、外装体が、位置決め部を容器の上部開口縁と係合し、容器の上部開口縁に載置され自立したときに、バッグの底が容器の上部開口縁の近傍にあり、仮に水遣りによるバッグからの廃水が容器にある程度溜まっても、バッグが廃水に浸かることを防止できる。これにより、バッグが廃水に浸かって根が廃水で濡れた状態になることに起因する植物の生育の不全や病気（例えば根腐れ等）の発生を防止できる。
【００１５】
（５）本発明は、前記外装体が、外部から前記外装体内側の前記バッグが見えるようにする窓口を有している構成とすることができる。
【００１６】
この場合、植物栽培器の外観が、周りの人から、従来からあるコーヒーの挽き豆を入れたドリップバッグ、又はドリップバッグのようなものとして、より認識されやすくなり、ドリップバッグで植物を栽培しているという意外性を、周りの人により確実に感じさせることができる。
【００１７】
（６）本発明は、前記バッグの色が濃色である構成とすることができる。
【００１８】
この場合、水遣りによってバッグに染み出た肥料や土が付着してその色が浮き出たとしても、バッグの色が濃色であるために、浮き出た色が目立ちにくく、その色で外観が見苦しくなることを防止できる。
【００１９】
（７）本発明は、容器の上部開口縁に自立する外装体と、該外装体に取り付けられ、開封できるようにして縁部が封止されている土保持性及び通液性を有するバッグと、該バッグに収容されており土と肥料を混合した栽培用土とを備える植物栽培器と、種子を収容した種子入れとを備える植物栽培キットである。
【００２０】
この場合、植物栽培器と種子を収容した種子入れをキットとすることで、購入者は別に容器を用意するだけで、容器以外には他に材料や道具を揃える必要がなく、植物の栽培を簡単に始めることができる。
【００２１】
（８）本発明は、容器の上部開口縁に自立する外装体と、該外装体に取り付けられ、開封できるようにして縁部が封止されている土保持性及び通液性を有するバッグと、該バッグに収容されており土と肥料を混合した栽培用土とを備える植物栽培器と、種子を収容した種子入れと、前記植物栽培器及び前記種子入れを収容し包装する包装体とを備える植物栽培キットである。
【００２２】
この場合、植物栽培器と、種子を収容した種子入れ及びそれらを包装する包装体をキットとすることで、商品としての取り扱いが容易にできるようになり、購入者は別に容器を用意するだけで、容器以外には他に材料や道具を揃える必要がなく、植物の栽培を簡単に始めることができる。
【００２３】
（９）本発明は、容器の上部開口縁に自立する外装体と、該外装体に取り付けられ、開封できるようにして縁部が封止されている土保持性及び通液性を有するバッグと、該バッグに収容されている土とを備える植物栽培器と、肥料を収容した肥料入れと、種子を収容した種子入れと、前記植物栽培器、前記肥料入れ及び前記種子入れを収容し包装する包装体とを備える植物栽培キットである。
【００２４】
この場合、使用時において、栽培床に種子を蒔く前に、肥料入れから肥料を取り出して土に混ぜる一手間が生じる。しかし、使用者がこの手間を野菜等の植物を育てる楽しみの一つと捉えることができるように、販売者側がアピールすることで、商品として充分な価値を付与できる。
【００２５】
（１０）本発明は、外装体と該外装体に取り付けられた土保持性及び通液性を有するバッグ及び該バッグに収容されている栽培用土からなる植物栽培器を容器の上部開口縁に載せてセットする工程と、前記バッグの中の前記栽培用土に種子を蒔く工程と、前記栽培用土に水遣りをする工程とを備える植物の栽培方法である。
【００２６】
外装体の素材としては、例えば紙、プラスチック等が採用できるが、植物栽培器の使用時において、栽培用土が入ったバッグ、或いは後に栽培されて成長する植物の荷重が作用している状態で、その荷重を支えながら、容器の上部開口縁で自立することができる強度及び剛性を有するものであれば、これらに限定はされない。また、水遣りによって濡れても強度が落ちないように防水性を有するものを採用するのがより好ましい。
【００２７】
バッグの素材としては、例えば紙（和紙、洋紙、合成紙等）、不織布、合成樹脂製のネット、又は麻や木綿の布等が採用できるが、通液性（又は通水性）を有し、栽培用土を保持できるものであれば、これらに限定されるものではない。
【００２８】
栽培用土は、例えば配合肥料入りの黒土や混合培養土等であるが、植物を栽培できる栽培床となり得るものであれば、これらに限定するものではない。
種子は、好光性種子、嫌光性種子又は中間性の種子等が採用できる。栽培する対象となる植物は、例えば野菜、ハーブ、及び食用花等である。野菜としては、例えば、赤からし葉、アイスプラント又はレッドアマランス（赤ヒユ）等が好適に栽培できる。
【００２９】
植物の栽培期間（種蒔きから収穫まで）は、例えば数週間から１ヶ月程度と比較的短いものが好ましい。栽培期間が長すぎるものは、植物栽培器の耐久性、及び汚れによる外観の劣化等を考慮すれば好ましくない。
また、植物は収穫物があまり大きくならないものが好ましい。大きくなりすぎるものは、栽培用土（栽培床）の量や成長した植物を支える機能性を考慮すれば好ましくない。
【００３０】
（作用）
本発明の植物栽培器及び植物栽培キットの作用を説明する。
植物栽培器のバッグを開封し、開口部を形成する。外装体を容器の上部開口縁に載置し、植物栽培器をセットする。容器としては、例えばコーヒーカップやマグカップ等の既存の飲料容器を好適に利用できる。
次に、バッグの中の栽培土を適当に均し、じょうろ等を使用して水遣りを行い、栽培土に適量の水を含ませる。
種子入れに入っている種子を栽培土の上に蒔く。その後は、適宜水遣りを行うことにより、種子が発芽し、植物が成長する。
【００３１】
また、外装体は容器の上部開口縁に自立できる大きさであり、栽培用土が収容されたバッグが組み合わされた植物栽培器としてもコンパクトであり嵩張るものではない。したがって、包装もコンパクトに行うことが可能になり、商品としての搬送や販売時の陳列の際も、スペース効率の面での制約は生じにくい。また、コンパクトであるため取り扱い性にも優れ、総じて植物の栽培がしやすい。
【００３２】
容器にセットできる外装体とバッグの組合せは、バッグに収容されているものがコーヒーか栽培用土かの違いはあっても、全体の外観は従来からあるコーヒーの挽き豆を入れたドリップバッグと似ており、これを見た人は、ドリップバッグ、或いはドリップバッグのようなものとして、認識しやすい。これにより、見た人にコーヒーのドリップバッグで植物を栽培しているような錯覚が生まれ、この言わばミスマッチな意外性によって、周りにいる人の注意を引くことができ、見た人は栽培される植物を面白く観賞することができる。
【発明の効果】
【００３３】
本発明は、例えば野菜、ハーブ又は食用花等の植物を室内において栽培することができ、コンパクトで嵩張らず、包装性や取り扱い性に優れていると共に、使用時において、周りにいる人の注意を引きやすく、栽培される植物を面白く観賞することができる植物栽培器、それを有する植物栽培キット及び植物の栽培方法を提供することができる。
【図面の簡単な説明】
【００３４】
【図１】本発明に係る植物栽培器の一実施の形態を示す正面側から見た斜視図である。
【図２】図１に示す植物栽培器の背面図である。
【図３】図２におけるＡ−Ａ断面図である。
【図４】本発明に係る植物栽培キットの一実施の形態を示す説明図である。
【図５】植物栽培器の使用の手順を示し、（ａ）は開封、（ｂ）は水遣り、（ｃ）は種蒔きの説明図。
【図６】植物栽培キットの使用状態を示す斜視図である。
【図７】本発明に係る植物栽培キットの他の実施の形態を示す説明図である。
【発明を実施するための形態】
【００３５】
以下、本発明の実施の形態について図面を参照しながら説明し、本発明の理解に供する。なお、以下の説明では、位置や方向を表す用語として、上下、左右の用語を使用することがあるが、これは植物栽培器Ａ１の使用時における姿勢（後記図６参照）を基準とするものである。
【００３６】
図１、図２及び図３を参照して、植物栽培器Ａ１の構造を説明する。
植物栽培器Ａ１は、使用時に容器の上部開口縁に自立する外装体１と、外装体１に取り付けられ、上部に開口部を形成するため開封できるようにして上側が封止されている土保持性及び通液性を有するバッグ２と、バッグ２に収容されており土と肥料を混合した栽培用土３とを備える。
【００３７】
外装体１は、表面が防水処理された、やや厚手の紙で形成されている。外装体１は、帯状の正面側シート１０及び背面側シート１１でループを構成するように形成されている。本実施の形態において、外装体１は、一枚の長いシートの両端側を背面側シート１１側で接着してループ状に形成されており、使用前の状態では、両側の端部で折り曲げられて折り畳まれた形状となっている。
【００３８】
外装体１は、図１のように折り畳まれた状態から、正面側シート１０と背面側シート１１が、両端の折り曲げ部を除き間隔が拡がるように変形させることができる変形性を有している。また、外装体１は、使用時において、栽培用土３が入ったバッグ２、或いは後に栽培されて成長する植物の荷重が作用している状態で、その荷重を支えながら、容器の上部開口縁で自立することができる強度及び剛性を有している。
【００３９】
外装体１は、下辺部の両端部に形成されており、使用時においてコーヒーカップ等の容器の上部開口縁の外側に掛かる位置決め部である外掛け片１３、１４を有している。外掛け片１３、１４は、それぞれ折り曲げ部１３０、１４０を挟み、正面側シート１０と背面側シート１１の両側に掛かるように形成されている。また、正面側シート１０と背面側シート１１において、外掛け片１３と外掛け片１４の間の中間部には、容器の上部開口縁の内側に掛かる位置決め部である内掛け片１５、１６が形成されている。
【００４０】
外装体１は、両端部の各折り曲げ部１３０、１４０において、上下方向のほぼ中間部に、拡張手段である折り止め部１７、１７ａを有している。折り止め部１７、１７ａは、植物栽培器Ａ１の使用時に、正面側シート１０と背面側シート１１を、各折り曲げ部１３０、１４０を除き、その間隔を拡張し、拡張した状態を維持することができるものである。また、折り止め部１７、１７ａは、互いに同じ形状であり、図１、図２等、各図においては、折り止め部１７、１７ａの細部には、互いに同じ符号を付して示す。
【００４１】
折り止め部１７、１７ａは、上側と下側に切欠部１７０、１７１を切り欠き、残った部分を利用して形成されている。上側の切欠部１７０は、奥側（正面視で内方側）がやや下がるように湾曲して切り欠かれており、下側の切欠部１７１は、正面視ほぼ半円形状に切り欠かれている。また、折り止め部１７、１７ａは、正面側シート１０と背面側シート１１に、下側の切欠部１７１の折り曲げ部１３０側上端から上側の切欠部１７０の下側の奥端部にかけて設けられた、折り曲げ線１７２を有している。
【００４２】
各折り曲げ線１７２は、本実施の形態では、シートに圧力を加えて折り目を付けたものであるが、ミシン目等、他の手段によるものでもよい。なお、切欠部１７０、１７１は、各折り曲げ線１７２での折り曲げがより簡単に、且つ確実にできるようにするための補助穴である。また、各折り曲げ線１７２の上端と各上側の切欠部１７０の奥端の間には、ほぼ「Ｌ」形の切込１７３が形成されており、各折り曲げ線１７２で折り曲げたときに、折り止め部１７、１７ａの変形状態が収まりよく維持できるようにしている。
【００４３】
外装体１の正面側シート１０と背面側シート１１のそれぞれのほぼ中央部には、シートの表裏面を貫通した窓口１８、１９が形成されている。窓口１８、１９は、横に長い長方形に近い形状を有しており、外部から、この窓口１８、１９を通して、後述するバッグ２が見えるようになっている。これにより、周りの人が植物栽培器Ａ１を見たときに、外観が従来からあるコーヒーの挽き豆を入れたドリップバッグ、或いはドリップバッグのようなものとして、認識されやすくなる。
【００４４】
外装体１には、バッグ２が取り付けられている。バッグ２は、通液性（通水性）及び通気性を有し、栽培用土３を内部で保持できる紙製のバッグである。バッグ２は、折り畳み状態では、正面視で下側が窄まった台形状（図２参照）である本体２０を有している。本体２０は、表裏両面側を構成するシート２１、２２を有し、シート２１、２２の上部側に取付片２１０、２２０を有している。取付片２１０、２２０は、シート２１、２２の上部側両端から外装体１の上部側に接着する長方形状の先端部２１１、２２１側へ向け窄まるように形成されている（図１参照）。
【００４５】
バッグ２のシート２１、２２の上端部（取付片２１０、２２０の基部寄り）には、封止部２３（図２、図３参照）が形成されている。封止部２３は、接着後に開封できるように、剥離可能な粘着剤によりシート２１、２２を接着した部分である。封止部２３は、本体２０の上端側に上下に一定の幅で、上端部の左右方向の全長にわたり形成されており、シート２１、２２を接着することにより栽培用土３を漏れないように封入することができる。
【００４６】
また、バッグ２の底部には、マチ部２４（図３参照）が形成され、使用時には幅方向（図３で左右方向）に拡げることができるようにしてある。なお、バッグ２の底（下端）は、外装体１の下端（外掛け片１３、１４及び内掛け片１５、１６の下端）より上側に位置するようにしてある（図２参照）。
【００４７】
本実施の形態では、バッグ２として、一般的なドリップバッグと同様に白色のバッグを採用しているが、例えば茶色、緑色、グレー又は黒等、各種濃色のバッグを採用することもできる。これにより、水遣りによってバッグに肥料や土が染み出て付着し、その色が浮き出たとしても、バッグの色が濃色であるために、浮き出た色が目立ちにくく、その色で外観が見苦しくなることを防止できる。
【００４８】
次に、図４を参照して、植物栽培キットＫ１について説明する。
植物栽培キットＫ１は、折り畳んだ上記植物栽培器Ａ１と、種子４０を透明なプラスチック袋（符号省略）に入れた種子入れである種子袋４を、プラスチックフィルム製の包装袋５に収容し、開口側を熱溶着等により封止して密封包装したものである。なお、図示はしていないが、包装袋５の表面には、商品名を表すロゴタイプや装飾デザイン等が印刷されている。
また、包装袋５には、植物栽培キットＫ１を使用した植物の栽培方法を説明した説明書を同封してもよい。
【００４９】
なお、植物栽培器Ａ１と種子袋４は、必ずしも包装袋５で包装する必要はなく、植物栽培器Ａ１と種子袋４だけでキットとして取り扱うことができる。これについては、後記植物栽培キットＫ２も同様であり、植物栽培器Ａ２と種子袋４及び肥料袋６だけでキットとして取り扱うことができる。
【００５０】
（作用）
図１ないし図７を参照し、植物栽培キットＫ１を使用した植物を栽培するまでの手順と植物栽培器Ａ１の作用を説明する。
植物栽培キットＫ１の包装袋５を開封し、包装袋５の中から植物栽培器Ａ１と種子袋４を取り出す。
【００５１】
植物栽培器Ａ１の容器へのセットは次のように行う。
まず、外装体１の両側端辺部の折り止め部１７、１７ａを内側に押し込むことにより、各折り曲げ線１７２から内側へ折れ曲がり、更に中央を通る折り曲げ部（符号省略）が逆に折れ曲がることで、正面側シート１０と背面側シート１１の間隔が折り曲げ部１３０、１４０を除き拡張すると共に、正面側シート１０と背面側シート１１の反発力とも相俟って、この拡張した状態が維持されるようになる（図５、図６参照）。
【００５２】
次に、バッグ２の封止部２３を剥がして開口部２９を形成する（図５（ａ）参照）。容器であるコーヒーカップ８の上部開口縁８０に、正面側シート１０と背面側シート１１の間隔が拡張した外装体１の下辺部１００が接するようにして植物栽培器Ａ１を載せる。この時、外装体１の両外掛け片１３、１４をコーヒーカップ８の上部開口縁８０の外側に、両内掛け片１５、１６を上部開口縁８０の内側に位置するようにする（図５、図６参照）。これにより、植物栽培器Ａ１は、バッグ２をコーヒーカップ８の上部開口部（符号省略）の中央に位置させた状態で収まり、その位置からずれにくくなり、安定する。なお、本実施の形態では、容器としてコーヒーカップ８を使用し、コーヒーカップ８は皿９に載せてあり、植物栽培器Ａ１がコーヒーのドリップバッグに見えるような演出をしている。
【００５３】
また、外装体１がコーヒーカップ８の上部開口縁８０に載置され自立したときに、バッグ２の底が上部開口縁８０の近傍（やや低い位置）にあるので、仮に植物の栽培において水遣りによるバッグ２からの廃水がコーヒーカップ８にある程度溜まっても、バッグ２が廃水に浸かることを防止できる。これにより、バッグ２が廃水に浸かって根が廃水で濡れた状態になることに起因する植物の生育の不全や病気の発生を防止できる。
【００５４】
そして、バッグ２の底部のマチ部２４を拡げて、中の栽培用土３を適当に均し、小型のじょうろ等を使用して水遣りを行い、栽培用土３に適量の水を含ませる（図５（ｂ）参照）。水を含ませた後、種子袋４の中の種子４０を栽培用土３の上に蒔き（図５（ｃ）参照）、その後は、適宜水遣りを行うことにより、種子が発芽し、植物７が成長する（図６参照）。植物７の成長後は、適当な時期に収穫をする。
【００５５】
なお、外装体１はコーヒーカップ８の上部開口縁８０に載せて自立できる大きさであり、栽培用土３が収容されたバッグ２が組み合わされた植物栽培器Ａ１としても、特に使用前の折り畳んだ形態ではコンパクトであり、嵩張るものではない。したがって、包装もコンパクトに行うことが可能になり、商品としての搬送や販売時の陳列の際も、スペース効率の面での制約は生じにくい。また、コンパクトであるため取り扱い性にも優れ、総じて植物の栽培がしやすい。
【００５６】
更に、コーヒーカップ８等の容器にセットできる外装体１とバッグ２の組合せは、バッグ２に収容されているものがコーヒーか栽培用土３かの違いはあっても、全体の外観は従来からあるコーヒーの挽き豆を入れたドリップバッグと似ており、これを見た人は、ドリップバッグ、或いはドリップバッグのようなものとして、認識しやすい。これにより、見た人にコーヒーのドリップバッグで植物を栽培しているような錯覚が生まれ、この言わばミスマッチな意外性によって、周りにいる人の注意を引くことができ、見た人は栽培される植物を面白く観賞することができる。
【００５７】
図７を参照し、植物栽培キットＫ２について説明する。
植物栽培キットＫ２は、植物栽培器Ａ２と、種子袋４、及び肥料を入れた肥料袋６とを包装袋５に収容し、開口側を熱溶着等により封止して密封包装したものである。なお、植物栽培器Ａ２は、バッグ２の中に、栽培用土３ではなく、肥料が混合されていない土（図示省略）が収容されている構成である。
【００５８】
植物栽培キットＫ２をコーヒーカップ８にセットする際は、上記植物栽培キットＫ１の場合とほぼ同様の手順でセットするが、バッグ２の中の土に、肥料袋６に入った肥料を混合する手順が加わる。このため、手間がかかるようになはなるが、使用者がこの手間を野菜等の植物を育てる楽しみの一つと捉えることができるように、販売者側がアピールすることで、商品として充分な価値を付与できる。
【００５９】
また、植物栽培キットは、図示はしていないが、バッグの中に何も入っていない植物栽培器と、種子袋と、肥料袋、及び土が入った土袋とを包装袋に収容し密封して包装した構成とすることもできる。更に、容器の中に何も入っていない植物栽培器と、種子袋、及び肥料と土が入った栽培土袋とを包装袋に収容し密封して包装した構成としてもよい。
【符号の説明】
【００６０】
Ａ１  植物栽培器
１  外装体
１０  正面側シート
１１  背面側シート
１３、１４  外掛け片
１３０、１４０  折り曲げ部
１５、１６  内掛け片
１７、１７ａ  折り止め部
１７０、１７１  切欠部
１７２  折り曲げ線
１７３  切込
１８、１９  窓口
１００  下辺部
２  バッグ
２０  本体
２１、２２  シート
２１０、２２０  取付片
２１１、２２１  先端部
２３  封止部
２４  マチ部
３  栽培用土
Ｋ１  植物栽培キット
４  種子袋
４０  種子
５  包装袋
Ｋ２  植物栽培キット
Ａ２  植物栽培器
６  肥料袋
７  植物
８  コーヒーカップ
９  皿
【図１】
2015047113.tif 000003
【図２】
2015047113.tif 000004
【図３】
2015047113.tif 000005
【図４】
2015047113.tif 000006
【図５】
2015047113.tif 000007
【図６】
2015047113.tif 000008
【図７】
2015047113.tif 000009